(57)【要約】【課題】設置時の被検知体との位置関係を容易に適切な位置関係にできる開閉検知装置を提供し、設置の利便性を向上する。【解決手段】相対的に開閉する第１構造物と第２構造物との一方に備えられ、他方に備えられた被検知体を検知する検知手段を有する開閉検知装置であって、前記検知手段を有する本体と、正面開放のボックス状で前記本体を収容する収容ケースとを備え、前記収容ケースの背面に、前記被検知体との位置関係を確認する位置確認手段を設けた。【選択図】図８
2007233689.tif 000002
【特許請求の範囲】
【請求項１】
相対的に開閉する第１構造物と第２構造物との一方に備えられ、他方に備えられた被検知体を検知する検知手段を有する開閉検知装置であって、
前記検知手段を有する本体と、
正面開放のボックス状で前記本体を収容する収容ケースとを備え、
前記収容ケースの背面に、前記被検知体との位置関係を確認する位置確認手段を設けた
開閉検知装置。
【請求項２】
前記位置確認手段を、前記収容ケースの背面に形成した穴部により構成した
請求項１記載の開閉検知装置。
【請求項３】
前記本体の背面側に、背面へ突出して前記穴部に嵌合する嵌合凸部を備え、
該嵌合凸部の内側位置に前記検知手段を配置した
請求項２記載の開閉検知装置。
【請求項４】
前記収容ケースの一側面を、前記構造物に取り付ける取付面とし、
前記位置確認手段を、正面から見て前記取付面の両端方向に対称に備えた
請求項１、２または３記載の開閉検知装置。
【請求項５】
前記検知手段をリードスイッチで構成した
請求項１から４のいずれか１つに記載の開閉検知装置。
【発明の詳細な説明】
【技術分野】
【０００１】
この発明は、例えば２枚一組の窓の一方に本体を、他方に被検知体を取り付け、窓が開閉された際に前記本体が前記被検知体の移動を検知するような開閉検知装置に関する。
【背景技術】
【０００２】
従来、窓や扉の開閉を検知する装置として、扉の開閉を監視することが可能な磁気近接スイッチが提案されている（特許文献１参照）。この磁気近接スイッチは、扉枠にスイッチ本体を取り付け、マグネット本体を扉に取り付けて、扉を閉じたときにマグネット本体の一面とスイッチ本体の一面とが対面するように構成されている。そして、扉が閉じているとき、近接しているマグネット本体の磁束がスイッチ本体に設けられたリードスイッチを通過し、該リードスイッチの接点が閉鎖する。扉が開くと、マグネット本体が離れるため磁束がリードスイッチを通過せず、該リードスイッチの接点が開放される。このようにして、磁気近接スイッチは扉の開閉を検知できる。
【０００３】
また、窓の開閉を検知するワイヤレス防犯システムが提案されている（特許文献２参照）。このワイヤレス防犯システムは、２枚窓の一方の窓枠体の側縁部にワイヤレス送信器が取り付けられ、このワイヤレス送信器に対応して、他方の窓枠体の側縁部あるいは窓ガラスに永久磁石が取り付けられている。これにより、ワイヤレス防犯システムは、上述した磁気近接スイッチと同様に磁束によって窓の開閉を検知できる。
【０００４】
ここで、上記磁気近接スイッチおよびワイヤレス防犯システムは、マグネットの磁束によって窓の開閉を検知するものであるから、設置時のマグネットとの位置関係をある程度正確に位置決めする必要がある。
【０００５】
この取り付け位置の位置決めに関して、取り付け位置の設定、確認を容易に行える送信器が提案されている（特許文献３参照）。この送信器は、施工モードと警戒モードとを切り替えることで、施工モードの際に不要な警告信号を送信しないものである。これにより、取り付け位置が適切か否かを施工時に確認できるとしている。
【０００６】
しかし、上記送信器は、取り付け後に窓を開閉するなどして動作確認を行うことで取り付け位置が適切か否か確認するものであるから、ひとまず取り付けて動作確認をし、不適切であれば再度取り付け直して動作確認をするといった手間のかかるものであった。
【０００７】
【特許文献１】特開平１０−１２１０９号公報
【特許文献２】特許第２７５６６１１号公報
【特許文献３】特開２００４−３５３２０５号公報
【発明の開示】
【発明が解決しようとする課題】
【０００８】
この発明は上述の問題に鑑み、設置時の被検知体との位置関係を容易に適切な位置関係にできる開閉検知装置を提供し、設置の利便性を向上することを目的とする。
【課題を解決するための手段】
【０００９】
この発明は、相対的に開閉する第１構造物と第２構造物との一方に備えられ、他方に備えられた被検知体を検知する検知手段を有する開閉検知装置であって、前記検知手段を有する本体と、正面開放のボックス状で前記本体を収容する収容ケースとを備え、前記収容ケースの背面に、前記被検知体との位置関係を確認する位置確認手段を設けた開閉検知装置であることを特徴とする。
【００１０】
前記第１構造物と第２構造物は、窓と窓、窓と窓枠、扉と扉枠、引き出しと引き出し収納枠など、相対的に開閉する構造物で構成することができる。  
前記収容ケースは、正面視長方形、正面視正方形、正面視六角形など、様々な形状に形成することができる。
【００１１】
前記構成により、位置確認手段で位置を確認して被検知体と開閉検知装置との位置関係を適切に設置することができる。従って、ひとまず取り付けてみて動作確認をし、不適切であれば再度やり直すといった手間のかかる作業が不要となり、容易に設置することができる。
【００１２】
この発明の態様として、前記位置確認手段を、前記収容ケースの背面に形成した穴部により構成することができる。  
これにより、例えば被検知体を仮取り付けあるいは本取り付けして、前記穴部からこの被検知体が見える状態で収容ケースを取り付けるといったことや、収容ケースを仮取り付けあるいは本取り付けして、前記穴部から被検知体を確認しつつ該被検知体を前記穴部に対向する位置に取り付けるといったことができる。従って、被検知体と穴部との位置関係を容易に適切化することができる。  
また、この態様でさらに本体に備えた検知手段の位置を上記穴部に対応させれば、被検知体と検知手段との間を収容ケースが遮断しないため、検知手段による検知精度を向上させることができる。
【００１３】
またこの発明の態様として、前記本体の背面側に、背面へ突出して前記穴部に嵌合する嵌合凸部を備え、該嵌合凸部の内側位置に前記検知手段を配置することができる。
【００１４】
これにより、検知手段と被検知体との位置関係を容易に適切化することができる。また、収容ケースの背面部分を構成する部材の肉厚分だけ検知手段と被検知体との距離が長くなるといったことを防止でき、検知手段と被検知体とが最大限接近しているときの両者間の距離を短くすることができる。
【００１５】
またこの発明の態様として、前記収容ケースの一側面を、前記構造物に取り付ける取付面とし、前記位置確認手段を、正面から見て前記取付面の両端方向に対称に備えることができる。  
これにより、種々の開閉方向や配置に対応して開閉検知装置を取り付けることができ、どのような取り付けであっても位置関係を容易に適切化することができる。  
例えば、左右に開く一対の扉のサッシに開閉検知装置を取り付ける場合であれば、取付面を左側にした場合、サッシに右側から収容ケースを取り付け、本体を正面から収容することができる。逆に取付面を右側にした場合、サッシに左側から収容ケースを取り付け、本体を正面から収容することができる。このとき、固定手段は取付面の両端方向に対称（すなわちこの例では上下方向に対称）であるため、収容ケースが上下逆に取り付けられても、本体は上下の向きがそのままで収容ケースに収容することができる。
【００１６】
またこの発明の態様として、前記検知手段をリードスイッチで構成することができる。  
これにより、開閉検知装置を安価に製造することができる。
【発明の効果】
【００１７】
この発明により、設置時の被検知体との位置関係を容易に適切な位置関係にできる開閉検知装置を提供し、設置の利便性を向上することができる。
【発明を実施するための最良の形態】
【００１８】
この発明の一実施形態を以下図面と共に説明する。  
図１は、センサユニット６の使用状態の斜視図を示し、図２は、開閉検知装置８の斜視図を示し、図３は、本体１０を裏面側から見た斜視図を示し、図４は、開閉検知装置８の縦断右側面図を示し、図５は、収容ケース４０の正面図を示し、図６は、収容ケース４０の横断底面図を示す。
【００１９】
センサユニット６は、図１に示すように、２枚一組に構成される２枚窓１に取り付けられて使用される。  
２枚窓１は、左奥に位置する左奥窓２と、右手前に位置する右手前窓３が前後互い違いに左右に並べて配され、各窓２，３がいずれも左右に開閉する引き違い窓で構成されている。左奥窓２は、ガラス２ａとサッシ２ｂとで構成されており、右手前窓３は、ガラス３ａとサッシ３ｂとで構成されている。
【００２０】
この２枚窓１は、左奥窓２と右手前窓３とがそれぞれ個別に左右にスライド移動可能に図示省略する外枠に嵌め込まれており、閉状態で左奥窓２のサッシ２ｂと右手前窓３のサッシ３ｂとが前後に重合する位置に配置されている。
【００２１】
この右手前窓３のサッシ３ｂの左側面に、開閉検知装置８が化粧面１１を正面に向けて接着固定されている。この接着固定は、両面テープで固定する、あるいは接着剤で固定するなど、適宜の方法で固定するとよい。
【００２２】
左奥窓２のガラス２ａには、開閉検知装置８の裏側に位置合わせされた被検知体としての永久磁石７が接着固定されている。この永久磁石７は、長方形で肉厚一定の板状に形成されている。永久磁石７の接着固定は、両面テープで固定する、あるいは接着剤で固定するなど、適宜の方法で固定するとよい。
【００２３】
開閉検知装置８は、図２に示すように本体１０と、該本体１０を着脱可能に収容する収容ケース４０とで構成されている。
【００２４】
本体１０は、全体が略直方体であり、左右の幅が上下方向に一定で両側面が一直線状の平行な形状に形成されている。該本体１０の正面は一回り大きい板状に形成されて、その表面に化粧面１１が設けられている。この化粧面１１は、本実施の形態ではサッシ３ｂに取り付けられた際に室内側に向く面であり、印刷や彫刻等によって図示省略する適宜のデザイン加工が施されている。化粧面１１の下端近傍には、内部に設けられたスピーカの音声を通過させる放音孔１２が設けられている。
【００２５】
本体１０の下面には、導光体３５と押下ボタン３９とが設けられている。この導光体３５と押下ボタン３９は、本体１０の幅方向中央位置に設けられ、本体１０を収容ケース４０に収容する際の収容方向（この例では前後方向）に一直線に配置されている。
【００２６】
本体１０の右側面には、上下に長い溝状の凹部１８が、上下方向に３つ配設されている。この３つの凹部１８は、いずれも本体１０の表裏方向に同一の高さに設けられており、本体１０の上下方向中央位置に設けられた凹部１８を中心に上下対称に形成されている。
【００２７】
本体１０の左側面には、図３の裏側から見た斜視図に示すように、３つの凹部１８が上述した右側面の凹部１８と左右対称に設けられている。また、本体１０の左側面には、電池の着脱を許容する開口部１５が設けられ、該開口部１５の内側に電池を収納する電池収納部１６が設けられている。電池収納部１６の上部には、電池蓋２１の着脱突起２３を着脱する着脱穴１４が設けられ、電池収納部１６の下部には、電池蓋２１の図示省略する係合突起と係合する係合穴１７が設けられている。
【００２８】
電池収容後に前記開口部１５を塞ぐ電池蓋２１は、上部にツマミ部２２が設けられ、装着時の内側面に電池を押圧する押圧部材２４が設けられている。この押圧部材２４は、例えばスポンジで構成されている。電池蓋２１の内側には、着脱突起２３も設けられている。この着脱突起２３は、弾性を有して電池蓋２１本体とツマミ部２２とを接続する役割も有しており、この弾性力で利用者がツマミ部２２を容易につまんで電池蓋２１を取り外せるようにしている。
【００２９】
図４に示すように、本体１０の内部には、電池収納部１６と、基板３０とが設けられている。基板３０は、本体１０の裏面に近い部分に設けられており、磁束の通過の有無によってスイッチＯＮ／ＯＦＦが切り替わるリードスイッチ３１と、アラーム音を鳴らすスピーカ３２と、発光を行うＬＥＤ３３が設けられている。
【００３０】
リードスイッチ３１は、基板３０の裏面部分で、本体１０の上下方向中央部に設けられている。本体１０の裏面２５の上下方向中央部には、このリードスイッチ３１を収容できるように裏面側へ突出したリードスイッチ収容凸部２６が設けられている。また、本体１０の裏面２５の下端近傍にも、裏面側へ突出した凸部２７が設けられている。
【００３１】
ＬＥＤ３３の先端部分に対向して、導光体３５の導光部３８が設けられている。この導光部３８は、ＬＥＤ３３が正面へ向けて発した光を下方へ屈曲させる。そして、導光体３５の下端部分には、光を外部へ放出する発光部３６が設けられている。これにより、ＬＥＤ３３の光を外部へ誘導し、外から発光を視認できるようにしている。
【００３２】
また、この開閉検知装置８は左奥窓２（図１参照）または右手前窓３の開閉を検知すると無線通信で図示省略するセンタコントローラに検知信号を送信するものであるから、図示省略する無線通信部と制御部とが基板３０に設けられている。この制御部の制御により、非警戒モードではＬＥＤ３３を消灯し、警戒モードではＬＥＤ３３を１０秒間隔で点滅させ、警戒モードで開閉を検知したときにＬＥＤ３３を１秒間隔で点滅させると共にセンタコントローラに開閉検知信号を送信する。
【００３３】
図５に示すように、収容ケース４０は、正面を完全開放した直方体であり、肉厚一定の平面形状で長方形の裏面８１に、突出部用穴８２，８２および位置確認穴８３が設けられている。位置確認穴８３は、永久磁石７の大きさより一回り大きい程度の長方形の穴であり、上下方向中央に設けられている。突出部用穴８２，８２は、上下端部にそれぞれ上下対称に設けられている。また、右側面６１と左側面７１は一直線状に平行に構成され、収容ケース４０の内部幅が上下方向に同一になるように構成されている。
【００３４】
収容ケース４０の右側面６１には、図２に示すように、サッシ３ｂ（図１参照）に取り付ける両面テープを貼り付けるための接着取付部５７，５７が上下対称に設けられている。
【００３５】
また、収容ケース４０の右側面６１には、付勢部６２が上下方向に３つ配設されている。この付勢部６２は、前記位置確認穴８３が設けられている上下方向中央位置に１つ設けられ、前記突出部用穴８２が設けられている上下端部近傍位置にそれぞれ１つずつ設けられて、上下対称に配設されている。
【００３６】
また、収容ケース４０の左側面７１には、付勢部７２が上下方向に３つ配設されている。この付勢部７２は、前記位置確認穴８３が設けられている上下方向中央位置に１つ設けられ、前記突出部用穴８２が設けられている上下端部近傍位置にそれぞれ１つずつ設けられて、上下対称に配設されている。
【００３７】
図６に示すように、付勢部６２と付勢部７２は、互いに左右対向して配置されている。ここで、図６（Ａ）は図５のＡ−Ａ矢視断面図を示し、図６（Ｂ）は図５のＢ−Ｂ矢視断面図を示す。
【００３８】
付勢部７２は、図４に示すように右側面７１に設けられた抜き窓７５部分の正面側端に、正面から裏面へ向けて垂れ下がるように設けられた弾性板７３と、該弾性板７３の裏面側端に図６に示すように内側へ向けて突出形成された凸部７４とで構成されている。弾性板７３は、凸部７４が設けられている端部に向けて内側へ少し傾斜するように形成されている。このため、付勢部７２は、収容される本体１０をしっかりと付勢することができる。この付勢部７２は、樹脂で形成される収容ケース４０と一体形成されている。
【００３９】
付勢部６２は、前記付勢部７２と同様に、抜き窓６５に設けられた弾性板６３と凸部６４とで構成されており、凸部６４の表裏方向の位置は凸部７４と同一であるが、凸部６４の幅方向の突出高さＨ１が凸部７４の突出高さＨ２より低く形成されている。また、弾性板６３の厚みおよび大きさは、弾性板７３の厚みおよび大きさと同一に形成されており、この弾性板６３による弾性力は弾性板７３による弾性力と同一になるように構成されている。
【００４０】
この突出高さＨ１と突出高さＨ２の差により、本体１０はサッシ３ｂに取り付けられている接着取付部５７側へより強く付勢されることになる。これにより、収容ケース４０に対して本体１０を上下どちらの向きに収納しても、開閉検知装置８全体の重心を接着取付部５７側に近づけることができる。
【００４１】
このように、凸部６４，７４はケース側係合部として機能し、凹部１８は本体側係合部として機能して、このケース側係合部と本体側係合部によって本体１０を収容ケース４０に固定する固定手段が構成される。
【００４２】
収容ケース４０の上面５１には、幅方向中央位置に表裏方向に一直線に溝５２と穴５３とが設けられている。収容ケース４０の下面５４にも、溝５２と穴５３とが設けられている。この溝５２と穴５３は、上面５１と下面５４とで上下対称に設けられている。そして、収容ケース４０に本体１０を収容した状態で、溝５２内に本体１０の導光体３５が位置し、穴５３内に本体１０の押下ボタン３９が位置するように構成されている。
【００４３】
以上の構成により、種々の開閉方向や配置に対応して適切な位置に取り付けることができる開閉検知装置８を提供できる。
【００４４】
詳述すると、図１に示したように、サッシ３ｂの左側面に接着固定する場合には、図７の斜視図に示すように、左奥窓２と右手前窓３とを閉めた状態で、収容ケース４０の接着取付部５７（図２参照）をサッシ３ｂの左側面に軽くあてがう。
【００４５】
そして、図５に示すように、真正面から見て位置確認穴８３内に永久磁石７が収まって見えるように位置決めして、永久磁石７をガラス２ａに貼り付け固定する。これにより、永久磁石７を容易に適切な位置に貼り付け固定できる。
【００４６】
次に、接着取付部５７に両面テープを貼り付けて、収容ケース４０をサッシ３ｂの左側面に貼り付け固定する。このとき、真正面から見て位置確認穴８３内に永久磁石７が収まって見えるように位置決めして、収容ケース４０を貼り付け固定することで、位置確認穴８３と永久磁石７が前後方向に面対向し、上下左右の位置がずれることなく確実に正面対応させることができる。この位置決めも目視によって容易に行える。
【００４７】
さらに、図２に矢印で示したように、収容ケース４０内に本体１０を挿入し、凸部６４および凸部７４が凹部１８に嵌まり込ませ、図８の縦断右側面図に示すように本体１０を収容ケース４０に固定する。
【００４８】
固定されると、位置確認穴８３内に本体１０のリードスイッチ収容凸部２６が位置し、この中にリードスイッチ３１が位置する。このため、リードスイッチ３１の位置が永久磁石７と対向する位置となる。このとき、リードスイッチ収容凸部２６の外面と収容ケース４０の裏面８１の外面とが略同一平面上に位置して面一となる。この面一の構成により、収納ケース４０の裏面８１を永久磁石７にぎりぎりまで近接させても、本体１０を収納した際にリードスイッチ収容凸部２６が裏面８１より背面側へ突出して永久磁石７に接触するといったことを防止できる。
【００４９】
さらに、位置確認穴８３からリードスイッチ収容凸部２６を背面側（永久磁石７側）に突出させているため、リードスイッチ３１と永久磁石７との間に、収容ケース４０の裏面８１の肉厚分の離間距離が生じず、リードスイッチ３１と永久磁石７とを近接させることができる。
【００５０】
図示の例では、リードスイッチ収容凸部２６と永久磁石７の間に一定間隔を開けているが、これを互いに接触しない程度でさらに近接させてもよい。このように近接させるほど、開閉検知の確実性を高めることができる。
【００５１】
このように開閉検知装置８をサッシ３ｂに取り付けて、図９の斜視図に示すように左奥窓２または右手前窓３を開けば、開閉検知装置８のリードスイッチ３１に近接していた永久磁石７が離間し、開閉を検知することができる。
【００５２】
さらに、窓の構成がこれと逆に左側が手前で右側が奥であった場合、図１０の斜視図に示すように収容ケース４０を上下反転させ、サッシの右側面に、上下反転によって左側面に位置した接着取付部５７を両面テープで固定することができる。  
この場合も、上述した取り付け方法により、永久磁石７とリードスイッチ３１の位置関係を容易に適切な位置関係にして、永久磁石７と開閉検知装置８を各窓２，３に取り付け固定できる。
【００５３】
このようにして、取り付け対象となる窓や扉の配置にかかわらず、収容ケース４０の向きを適宜設定して接着固定し、本体１０はそのままの向きで収容ケース４０に収容できる開閉検知装置８を提供することができる。そして、収容ケース４０を窓や扉に接着固定する向きが変わっても、本体１０の向きを変えることなくリードスイッチ収容凸部２６を位置確認穴８３内に位置させることができる。
【００５４】
この発明の構成と、上述の実施形態との対応において、
この発明の第１構造物および第２構造物は、実施形態の左奥窓２および右手前窓３に対応し、
以下同様に、
被検知体は、永久磁石７に対応し、
嵌合凸部は、リードスイッチ収容凸部２６に対応し、
検知手段は、リードスイッチ３１に対応し、
取付面は、接着固定部５７に対応し、
背面は、裏面８１に対応し、
位置確認手段および穴部は、位置確認穴８３に対応し、
取付面の両端方向は、上下方向に対応するも、
この発明は、上述の実施形態の構成のみに限定されるものではなく、多くの実施の形態を得ることができる。
【００５５】
例えば、片方の窓（例えば左奥窓２または右手前窓３）のみが開閉して他方は固定である片引き窓にセンサユニット６を取り付けても良い。この場合、永久磁石７および開閉検知装置８の一方を開閉する窓に取り付け、他方を固定の窓あるいは窓枠に取り付けると良い。
【００５６】
また、上下に上げ下げする２枚一組の上げ下げ窓の場合は、上述した実施の形態での左右の引き違い窓を９０度回転させた状態と同様に永久磁石７および開閉検知装置８を取り付ければよい。
【００５７】
また、固定された窓枠の中の窓が回動して開閉する外開き窓や内開き窓や滑り出し窓等の窓の場合は、永久磁石７および開閉検知装置８の一方を窓に取り付け、他方を窓枠に取り付けると良い。
【００５８】
また、戸を内側に引いて回動させて開閉する引き戸や、戸を外側へ回動させて開閉する開き戸などの場合も、永久磁石７および開閉検知装置８の一方を戸に取り付け、他方を戸枠に取り付けると良い。
【図面の簡単な説明】
【００５９】
【図１】センサユニットの使用状態の斜視図。
【図２】開閉検知装置の斜視図。
【図３】本体を裏面側から見た斜視図。
【図４】開閉検知装置の縦断右側面図。
【図５】収容ケースの正面図。
【図６】収容ケースの横断底面図。
【図７】取り付け作業中の斜視図。
【図８】センサユニットの縦断右側面図。
【図９】センサユニットの使用状態の斜視図。
【図１０】サッシに対して左右逆側から取り付ける場合の開閉検知装置の斜視図。
【符号の説明】
【００６０】
２…左奥窓
３…右手前窓
７…永久磁石
８…開閉検知装置
１０…本体
２６…リードスイッチ収容凸部
３１…リードスイッチ
４０…収容ケース
５７…接着固定部
８１…裏面
８３…位置確認穴
【図１】
2007233689.tif 000003
【図２】
2007233689.tif 000004
【図３】
2007233689.tif 000005
【図４】
2007233689.tif 000006
【図５】
2007233689.tif 000007
【図６】
2007233689.tif 000008
【図７】
2007233689.tif 000009
【図８】
2007233689.tif 000010
【図９】
2007233689.tif 000011
【図１０】
2007233689.tif 000012
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
相対的に開閉する第１構造物と第２構造物との一方に備えられ、他方に備えられた被検知体を検知する検知手段を有する開閉検知装置であって、
前記検知手段を有する本体と、
正面開放のボックス状で前記本体を収容する収容ケースと、
収容された該本体を前記収容ケースに固定する固定手段とを備え、
前記収容ケースの一側面を、前記構造物に取り付ける取付面とし、
前記固定手段を、前記収容ケースの前記取付面側とその反対面側との両内側に対向配置されたケース側係合部と、前記本体に設けられて前記ケース側係合部と係合する本体側係合部とで構成し、正面から見て前記取付面の両端方向に対称に備え、
前記ケース側係合部に、前記本体側へ向けて付勢する付勢部を備え、
前記反対面から前記取付面へ向けてより強く付勢するように前記ケース側係合部を構成し、
前記収容ケースの背面に、前記被検知体との位置関係を確認する位置確認手段を設けた
開閉検知装置。
【請求項２】
前記位置確認手段を、前記収容ケースの背面に形成した穴部により構成した
請求項１記載の開閉検知装置。
【請求項３】
前記本体の背面側に、背面へ突出して前記穴部に嵌合する嵌合凸部を備え、
該嵌合凸部の内側位置に前記検知手段を配置した
請求項２記載の開閉検知装置。
【請求項４】
前記位置確認手段を、正面から見て前記取付面の両端方向に対称に備えた
請求項１、２または３記載の開閉検知装置。
【請求項５】
前記検知手段をリードスイッチで構成した
請求項１から４のいずれか１つに記載の開閉検知装置。
【手続補正２】
【補正対象書類名】明細書
【補正対象項目名】全文
【補正方法】変更
【補正の内容】
【発明の詳細な説明】
【技術分野】
【０００１】
この発明は、例えば２枚一組の窓の一方に本体を、他方に被検知体を取り付け、窓が開閉された際に前記本体が前記被検知体の移動を検知するような開閉検知装置に関する。
【背景技術】
【０００２】
従来、窓や扉の開閉を検知する装置として、扉の開閉を監視することが可能な磁気近接スイッチが提案されている（特許文献１参照）。この磁気近接スイッチは、扉枠にスイッチ本体を取り付け、マグネット本体を扉に取り付けて、扉を閉じたときにマグネット本体の一面とスイッチ本体の一面とが対面するように構成されている。そして、扉が閉じているとき、近接しているマグネット本体の磁束がスイッチ本体に設けられたリードスイッチを通過し、該リードスイッチの接点が閉鎖する。扉が開くと、マグネット本体が離れるため磁束がリードスイッチを通過せず、該リードスイッチの接点が開放される。このようにして、磁気近接スイッチは扉の開閉を検知できる。
【０００３】
また、窓の開閉を検知するワイヤレス防犯システムが提案されている（特許文献２参照）。このワイヤレス防犯システムは、２枚窓の一方の窓枠体の側縁部にワイヤレス送信器が取り付けられ、このワイヤレス送信器に対応して、他方の窓枠体の側縁部あるいは窓ガラスに永久磁石が取り付けられている。これにより、ワイヤレス防犯システムは、上述した磁気近接スイッチと同様に磁束によって窓の開閉を検知できる。
【０００４】
ここで、上記磁気近接スイッチおよびワイヤレス防犯システムは、マグネットの磁束によって窓の開閉を検知するものであるから、設置時のマグネットとの位置関係をある程度正確に位置決めする必要がある。
【０００５】
この取り付け位置の位置決めに関して、取り付け位置の設定、確認を容易に行える送信器が提案されている（特許文献３参照）。この送信器は、施工モードと警戒モードとを切り替えることで、施工モードの際に不要な警告信号を送信しないものである。これにより、取り付け位置が適切か否かを施工時に確認できるとしている。
【０００６】
しかし、上記送信器は、取り付け後に窓を開閉するなどして動作確認を行うことで取り付け位置が適切か否か確認するものであるから、ひとまず取り付けて動作確認をし、不適切であれば再度取り付け直して動作確認をするといった手間のかかるものであった。
【０００７】
【特許文献１】特開平１０−１２１０９号公報
【特許文献２】特許第２７５６６１１号公報
【特許文献３】特開２００４−３５３２０５号公報
【発明の開示】
【発明が解決しようとする課題】
【０００８】
この発明は上述の問題に鑑み、設置時の被検知体との位置関係を容易に適切な位置関係にできる開閉検知装置を提供し、設置の利便性を向上することを目的とする。
【課題を解決するための手段】
【０００９】
この発明は、相対的に開閉する第１構造物と第２構造物との一方に備えられ、他方に備えられた被検知体を検知する検知手段を有する開閉検知装置であって、前記検知手段を有する本体と、正面開放のボックス状で前記本体を収容する収容ケースと、収容された該本体を前記収容ケースに固定する固定手段とを備え、前記収容ケースの一側面を、前記構造物に取り付ける取付面とし、前記固定手段を、前記収容ケースの前記取付面側とその反対面側との両内側に対向配置されたケース側係合部と、前記本体に設けられて前記ケース側係合部と係合する本体側係合部とで構成し、正面から見て前記取付面の両端方向に対称に備え、前記ケース側係合部に、前記本体側へ向けて付勢する付勢部を備え、前記反対面から前記取付面へ向けてより強く付勢するように前記ケース側係合部を構成し、前記収容ケースの背面に、前記被検知体との位置関係を確認する位置確認手段を設けた開閉検知装置であることを特徴とする。
【００１０】
前記第１構造物と第２構造物は、窓と窓、窓と窓枠、扉と扉枠、引き出しと引き出し収納枠など、相対的に開閉する構造物で構成することができる。  
前記収容ケースは、正面視長方形、正面視正方形、正面視六角形など、様々な形状に形成することができる。
【００１１】
前記構成により、位置確認手段で位置を確認して被検知体と開閉検知装置との位置関係を適切に設置することができる。従って、ひとまず取り付けてみて動作確認をし、不適切であれば再度やり直すといった手間のかかる作業が不要となり、容易に設置することができる。  
また、開閉検知装置全体の重心を取付面側に近づけることができる。
【００１２】
この発明の態様として、前記位置確認手段を、前記収容ケースの背面に形成した穴部により構成することができる。  
これにより、例えば被検知体を仮取り付けあるいは本取り付けして、前記穴部からこの被検知体が見える状態で収容ケースを取り付けるといったことや、収容ケースを仮取り付けあるいは本取り付けして、前記穴部から被検知体を確認しつつ該被検知体を前記穴部に対向する位置に取り付けるといったことができる。従って、被検知体と穴部との位置関係を容易に適切化することができる。  
また、この態様でさらに本体に備えた検知手段の位置を上記穴部に対応させれば、被検知体と検知手段との間を収容ケースが遮断しないため、検知手段による検知精度を向上させることができる。
【００１３】
またこの発明の態様として、前記本体の背面側に、背面へ突出して前記穴部に嵌合する嵌合凸部を備え、該嵌合凸部の内側位置に前記検知手段を配置することができる。
【００１４】
これにより、検知手段と被検知体との位置関係を容易に適切化することができる。また、収容ケースの背面部分を構成する部材の肉厚分だけ検知手段と被検知体との距離が長くなるといったことを防止でき、検知手段と被検知体とが最大限接近しているときの両者間の距離を短くすることができる。
【００１５】
またこの発明の態様として、前記収容ケースの一側面を、前記構造物に取り付ける取付面とし、前記位置確認手段を、正面から見て前記取付面の両端方向に対称に備えることができる。  
これにより、種々の開閉方向や配置に対応して開閉検知装置を取り付けることができ、どのような取り付けであっても位置関係を容易に適切化することができる。  
例えば、左右に開く一対の扉のサッシに開閉検知装置を取り付ける場合であれば、取付面を左側にした場合、サッシに右側から収容ケースを取り付け、本体を正面から収容することができる。逆に取付面を右側にした場合、サッシに左側から収容ケースを取り付け、本体を正面から収容することができる。このとき、固定手段は取付面の両端方向に対称（すなわちこの例では上下方向に対称）であるため、収容ケースが上下逆に取り付けられても、本体は上下の向きがそのままで収容ケースに収容することができる。
【００１６】
またこの発明の態様として、前記検知手段をリードスイッチで構成することができる。  
これにより、開閉検知装置を安価に製造することができる。
【発明の効果】
【００１７】
この発明により、設置時の被検知体との位置関係を容易に適切な位置関係にできる開閉検知装置を提供し、設置の利便性を向上することができる。
【発明を実施するための最良の形態】
【００１８】
この発明の一実施形態を以下図面と共に説明する。  
図１は、センサユニット６の使用状態の斜視図を示し、図２は、開閉検知装置８の斜視図を示し、図３は、本体１０を裏面側から見た斜視図を示し、図４は、開閉検知装置８の縦断右側面図を示し、図５は、収容ケース４０の正面図を示し、図６は、収容ケース４０の横断底面図を示す。
【００１９】
センサユニット６は、図１に示すように、２枚一組に構成される２枚窓１に取り付けられて使用される。  
２枚窓１は、左奥に位置する左奥窓２と、右手前に位置する右手前窓３が前後互い違いに左右に並べて配され、各窓２，３がいずれも左右に開閉する引き違い窓で構成されている。左奥窓２は、ガラス２ａとサッシ２ｂとで構成されており、右手前窓３は、ガラス３ａとサッシ３ｂとで構成されている。
【００２０】
この２枚窓１は、左奥窓２と右手前窓３とがそれぞれ個別に左右にスライド移動可能に図示省略する外枠に嵌め込まれており、閉状態で左奥窓２のサッシ２ｂと右手前窓３のサッシ３ｂとが前後に重合する位置に配置されている。
【００２１】
この右手前窓３のサッシ３ｂの左側面に、開閉検知装置８が化粧面１１を正面に向けて接着固定されている。この接着固定は、両面テープで固定する、あるいは接着剤で固定するなど、適宜の方法で固定するとよい。
【００２２】
左奥窓２のガラス２ａには、開閉検知装置８の裏側に位置合わせされた被検知体としての永久磁石７が接着固定されている。この永久磁石７は、長方形で肉厚一定の板状に形成されている。永久磁石７の接着固定は、両面テープで固定する、あるいは接着剤で固定するなど、適宜の方法で固定するとよい。
【００２３】
開閉検知装置８は、図２に示すように本体１０と、該本体１０を着脱可能に収容する収容ケース４０とで構成されている。
【００２４】
本体１０は、全体が略直方体であり、左右の幅が上下方向に一定で両側面が一直線状の平行な形状に形成されている。該本体１０の正面は一回り大きい板状に形成されて、その表面に化粧面１１が設けられている。この化粧面１１は、本実施の形態ではサッシ３ｂに取り付けられた際に室内側に向く面であり、印刷や彫刻等によって図示省略する適宜のデザイン加工が施されている。化粧面１１の下端近傍には、内部に設けられたスピーカの音声を通過させる放音孔１２が設けられている。
【００２５】
本体１０の下面には、導光体３５と押下ボタン３９とが設けられている。この導光体３５と押下ボタン３９は、本体１０の幅方向中央位置に設けられ、本体１０を収容ケース４０に収容する際の収容方向（この例では前後方向）に一直線に配置されている。
【００２６】
本体１０の右側面には、上下に長い溝状の凹部１８が、上下方向に３つ配設されている。この３つの凹部１８は、いずれも本体１０の表裏方向に同一の高さに設けられており、本体１０の上下方向中央位置に設けられた凹部１８を中心に上下対称に形成されている。
【００２７】
本体１０の左側面には、図３の裏側から見た斜視図に示すように、３つの凹部１８が上述した右側面の凹部１８と左右対称に設けられている。また、本体１０の左側面には、電池の着脱を許容する開口部１５が設けられ、該開口部１５の内側に電池を収納する電池収納部１６が設けられている。電池収納部１６の上部には、電池蓋２１の着脱突起２３を着脱する着脱穴１４が設けられ、電池収納部１６の下部には、電池蓋２１の図示省略する係合突起と係合する係合穴１７が設けられている。
【００２８】
電池収容後に前記開口部１５を塞ぐ電池蓋２１は、上部にツマミ部２２が設けられ、装着時の内側面に電池を押圧する押圧部材２４が設けられている。この押圧部材２４は、例えばスポンジで構成されている。電池蓋２１の内側には、着脱突起２３も設けられている。この着脱突起２３は、弾性を有して電池蓋２１本体とツマミ部２２とを接続する役割も有しており、この弾性力で利用者がツマミ部２２を容易につまんで電池蓋２１を取り外せるようにしている。
【００２９】
図４に示すように、本体１０の内部には、電池収納部１６と、基板３０とが設けられている。基板３０は、本体１０の裏面に近い部分に設けられており、磁束の通過の有無によってスイッチＯＮ／ＯＦＦが切り替わるリードスイッチ３１と、アラーム音を鳴らすスピーカ３２と、発光を行うＬＥＤ３３が設けられている。
【００３０】
リードスイッチ３１は、基板３０の裏面部分で、本体１０の上下方向中央部に設けられている。本体１０の裏面２５の上下方向中央部には、このリードスイッチ３１を収容できるように裏面側へ突出したリードスイッチ収容凸部２６が設けられている。また、本体１０の裏面２５の下端近傍にも、裏面側へ突出した凸部２７が設けられている。
【００３１】
ＬＥＤ３３の先端部分に対向して、導光体３５の導光部３８が設けられている。この導光部３８は、ＬＥＤ３３が正面へ向けて発した光を下方へ屈曲させる。そして、導光体３５の下端部分には、光を外部へ放出する発光部３６が設けられている。これにより、ＬＥＤ３３の光を外部へ誘導し、外から発光を視認できるようにしている。
【００３２】
また、この開閉検知装置８は左奥窓２（図１参照）または右手前窓３の開閉を検知すると無線通信で図示省略するセンタコントローラに検知信号を送信するものであるから、図示省略する無線通信部と制御部とが基板３０に設けられている。この制御部の制御により、非警戒モードではＬＥＤ３３を消灯し、警戒モードではＬＥＤ３３を１０秒間隔で点滅させ、警戒モードで開閉を検知したときにＬＥＤ３３を１秒間隔で点滅させると共にセンタコントローラに開閉検知信号を送信する。
【００３３】
図５に示すように、収容ケース４０は、正面を完全開放した直方体であり、肉厚一定の平面形状で長方形の裏面８１に、突出部用穴８２，８２および位置確認穴８３が設けられている。位置確認穴８３は、永久磁石７の大きさより一回り大きい程度の長方形の穴であり、上下方向中央に設けられている。突出部用穴８２，８２は、上下端部にそれぞれ上下対称に設けられている。また、右側面６１と左側面７１は一直線状に平行に構成され、収容ケース４０の内部幅が上下方向に同一になるように構成されている。
【００３４】
収容ケース４０の右側面６１には、図２に示すように、サッシ３ｂ（図１参照）に取り付ける両面テープを貼り付けるための接着取付部５７，５７が上下対称に設けられている。
【００３５】
また、収容ケース４０の右側面６１には、付勢部６２が上下方向に３つ配設されている。この付勢部６２は、前記位置確認穴８３が設けられている上下方向中央位置に１つ設けられ、前記突出部用穴８２が設けられている上下端部近傍位置にそれぞれ１つずつ設けられて、上下対称に配設されている。
【００３６】
また、収容ケース４０の左側面７１には、付勢部７２が上下方向に３つ配設されている。この付勢部７２は、前記位置確認穴８３が設けられている上下方向中央位置に１つ設けられ、前記突出部用穴８２が設けられている上下端部近傍位置にそれぞれ１つずつ設けられて、上下対称に配設されている。
【００３７】
図６に示すように、付勢部６２と付勢部７２は、互いに左右対向して配置されている。ここで、図６（Ａ）は図５のＡ−Ａ矢視断面図を示し、図６（Ｂ）は図５のＢ−Ｂ矢視断面図を示す。
【００３８】
付勢部７２は、図４に示すように右側面７１に設けられた抜き窓７５部分の正面側端に、正面から裏面へ向けて垂れ下がるように設けられた弾性板７３と、該弾性板７３の裏面側端に図６に示すように内側へ向けて突出形成された凸部７４とで構成されている。弾性板７３は、凸部７４が設けられている端部に向けて内側へ少し傾斜するように形成されている。このため、付勢部７２は、収容される本体１０をしっかりと付勢することができる。この付勢部７２は、樹脂で形成される収容ケース４０と一体形成されている。
【００３９】
付勢部６２は、前記付勢部７２と同様に、抜き窓６５に設けられた弾性板６３と凸部６４とで構成されており、凸部６４の表裏方向の位置は凸部７４と同一であるが、凸部６４の幅方向の突出高さＨ１が凸部７４の突出高さＨ２より低く形成されている。また、弾性板６３の厚みおよび大きさは、弾性板７３の厚みおよび大きさと同一に形成されており、この弾性板６３による弾性力は弾性板７３による弾性力と同一になるように構成されている。
【００４０】
この突出高さＨ１と突出高さＨ２の差により、本体１０はサッシ３ｂに取り付けられている接着取付部５７側へより強く付勢されることになる。これにより、収容ケース４０に対して本体１０を上下どちらの向きに収納しても、開閉検知装置８全体の重心を接着取付部５７側に近づけることができる。
【００４１】
このように、凸部６４，７４はケース側係合部として機能し、凹部１８は本体側係合部として機能して、このケース側係合部と本体側係合部によって本体１０を収容ケース４０に固定する固定手段が構成される。
【００４２】
収容ケース４０の上面５１には、幅方向中央位置に表裏方向に一直線に溝５２と穴５３とが設けられている。収容ケース４０の下面５４にも、溝５２と穴５３とが設けられている。この溝５２と穴５３は、上面５１と下面５４とで上下対称に設けられている。そして、収容ケース４０に本体１０を収容した状態で、溝５２内に本体１０の導光体３５が位置し、穴５３内に本体１０の押下ボタン３９が位置するように構成されている。
【００４３】
以上の構成により、種々の開閉方向や配置に対応して適切な位置に取り付けることができる開閉検知装置８を提供できる。
【００４４】
詳述すると、図１に示したように、サッシ３ｂの左側面に接着固定する場合には、図７の斜視図に示すように、左奥窓２と右手前窓３とを閉めた状態で、収容ケース４０の接着取付部５７（図２参照）をサッシ３ｂの左側面に軽くあてがう。
【００４５】
そして、図５に示すように、真正面から見て位置確認穴８３内に永久磁石７が収まって見えるように位置決めして、永久磁石７をガラス２ａに貼り付け固定する。これにより、永久磁石７を容易に適切な位置に貼り付け固定できる。
【００４６】
次に、接着取付部５７に両面テープを貼り付けて、収容ケース４０をサッシ３ｂの左側面に貼り付け固定する。このとき、真正面から見て位置確認穴８３内に永久磁石７が収まって見えるように位置決めして、収容ケース４０を貼り付け固定することで、位置確認穴８３と永久磁石７が前後方向に面対向し、上下左右の位置がずれることなく確実に正面対応させることができる。この位置決めも目視によって容易に行える。
【００４７】
さらに、図２に矢印で示したように、収容ケース４０内に本体１０を挿入し、凸部６４および凸部７４が凹部１８に嵌まり込ませ、図８の縦断右側面図に示すように本体１０を収容ケース４０に固定する。
【００４８】
固定されると、位置確認穴８３内に本体１０のリードスイッチ収容凸部２６が位置し、この中にリードスイッチ３１が位置する。このため、リードスイッチ３１の位置が永久磁石７と対向する位置となる。このとき、リードスイッチ収容凸部２６の外面と収容ケース４０の裏面８１の外面とが略同一平面上に位置して面一となる。この面一の構成により、収納ケース４０の裏面８１を永久磁石７にぎりぎりまで近接させても、本体１０を収納した際にリードスイッチ収容凸部２６が裏面８１より背面側へ突出して永久磁石７に接触するといったことを防止できる。
【００４９】
さらに、位置確認穴８３からリードスイッチ収容凸部２６を背面側（永久磁石７側）に突出させているため、リードスイッチ３１と永久磁石７との間に、収容ケース４０の裏面８１の肉厚分の離間距離が生じず、リードスイッチ３１と永久磁石７とを近接させることができる。
【００５０】
図示の例では、リードスイッチ収容凸部２６と永久磁石７の間に一定間隔を開けているが、これを互いに接触しない程度でさらに近接させてもよい。このように近接させるほど、開閉検知の確実性を高めることができる。
【００５１】
このように開閉検知装置８をサッシ３ｂに取り付けて、図９の斜視図に示すように左奥窓２または右手前窓３を開けば、開閉検知装置８のリードスイッチ３１に近接していた永久磁石７が離間し、開閉を検知することができる。
【００５２】
さらに、窓の構成がこれと逆に左側が手前で右側が奥であった場合、図１０の斜視図に示すように収容ケース４０を上下反転させ、サッシの右側面に、上下反転によって左側面に位置した接着取付部５７を両面テープで固定することができる。  
この場合も、上述した取り付け方法により、永久磁石７とリードスイッチ３１の位置関係を容易に適切な位置関係にして、永久磁石７と開閉検知装置８を各窓２，３に取り付け固定できる。
【００５３】
このようにして、取り付け対象となる窓や扉の配置にかかわらず、収容ケース４０の向きを適宜設定して接着固定し、本体１０はそのままの向きで収容ケース４０に収容できる開閉検知装置８を提供することができる。そして、収容ケース４０を窓や扉に接着固定する向きが変わっても、本体１０の向きを変えることなくリードスイッチ収容凸部２６を位置確認穴８３内に位置させることができる。
【００５４】
この発明の構成と、上述の実施形態との対応において、
この発明の第１構造物および第２構造物は、実施形態の左奥窓２および右手前窓３に対応し、
以下同様に、
被検知体は、永久磁石７に対応し、
本体側係合部は、凹部１８に対応し、
固定手段は、凹部１８および付勢部６２，７２に対応し、
嵌合凸部は、リードスイッチ収容凸部２６に対応し、
検知手段は、リードスイッチ３１に対応し、
ケース側係合部は、凸部６４，７４に対応し、
取付面は、接着固定部５７に対応し、
背面は、裏面８１に対応し、
位置確認手段および穴部は、位置確認穴８３に対応し、
取付面の両端方向は、上下方向に対応するも、
この発明は、上述の実施形態の構成のみに限定されるものではなく、多くの実施の形態を得ることができる。
【００５５】
例えば、片方の窓（例えば左奥窓２または右手前窓３）のみが開閉して他方は固定である片引き窓にセンサユニット６を取り付けても良い。この場合、永久磁石７および開閉検知装置８の一方を開閉する窓に取り付け、他方を固定の窓あるいは窓枠に取り付けると良い。
【００５６】
また、上下に上げ下げする２枚一組の上げ下げ窓の場合は、上述した実施の形態での左右の引き違い窓を９０度回転させた状態と同様に永久磁石７および開閉検知装置８を取り付ければよい。
【００５７】
また、固定された窓枠の中の窓が回動して開閉する外開き窓や内開き窓や滑り出し窓等の窓の場合は、永久磁石７および開閉検知装置８の一方を窓に取り付け、他方を窓枠に取り付けると良い。
【００５８】
また、戸を内側に引いて回動させて開閉する引き戸や、戸を外側へ回動させて開閉する開き戸などの場合も、永久磁石７および開閉検知装置８の一方を戸に取り付け、他方を戸枠に取り付けると良い。
【図面の簡単な説明】
【００５９】
【図１】センサユニットの使用状態の斜視図。
【図２】開閉検知装置の斜視図。
【図３】本体を裏面側から見た斜視図。
【図４】開閉検知装置の縦断右側面図。
【図５】収容ケースの正面図。
【図６】収容ケースの横断底面図。
【図７】取り付け作業中の斜視図。
【図８】センサユニットの縦断右側面図。
【図９】センサユニットの使用状態の斜視図。
【図１０】サッシに対して左右逆側から取り付ける場合の開閉検知装置の斜視図。
【符号の説明】
【００６０】
２…左奥窓
３…右手前窓
７…永久磁石
８…開閉検知装置
１０…本体
１８…凹部
２６…リードスイッチ収容凸部
３１…リードスイッチ
４０…収容ケース
５７…接着固定部
６２，７２…付勢部
６４，７４…凸部
８１…裏面
８３…位置確認穴